(57)【特許請求の範囲】
【請求項１】
ストロボを内蔵し、前面に設けた充電ボタンを押圧することで充電が行われるレンズ付きフイルムユニットを包装袋で密封包装する方法において、
シート状のスペーサがレンズ付きフイルムユニットの前面に設けられた突出部に支持されて載置されることにより、前記スペーサが充電ボタンから浮いた状態で、かつ充電ボタンを覆っており、前記レンズ付きフイルムユニット及びスペーサを一体に包装したときに、スペーサに設けられた支持面によって包装袋が内側から支持されて充電ボタンが操作不能になるようにしたことを特徴とするレンズ付きフイルムユニットの包装方法。
【請求項２】
前記スペーサに、レンズ付きフイルムユニットの上面及び下面に沿って折り曲げられる折り曲げ片を一体に連設し、これらの折り曲げ片で、レンズ付きフイルムユニットの前面を覆っている部分を支えるようにしたことを特徴とする請求項１記載のレンズ付きフイルムユニットの包装方法。
【請求項３】
前記スペーサに、レンズ付きフイルムユニットの前面に向けて折り曲げられる折り曲げ片を一体に連設し、これらの折り曲げ片で、少なくとも充電ボタンを覆っている部分を支えるようにしたことを特徴とする請求項１記載のレンズ付きフイルムユニットの包装方法。
【請求項４】
前記スペーサがレンズ付きフイルムユニットの前面に載置された際に、レンズ付きフイルムユニットの前面から隆起して撮影レンズを保持している隆起部の少なくとも一部が入り込む切欠き又は開口を前記スペーサに設け、前記スペーサのずれを防止することを特徴とする請求項１ないし３いずれか記載のレンズ付きフイルムユニットの包装方法。
【発明の詳細な説明】
【０００１】
【産業上の利用分野】
本発明は、ストロボを内蔵したレンズ付きフイルムユニットの包装方法に関するものである。
【０００２】
【従来の技術】
レンズ付きフイルムユニットは、撮影レンズやシャッタ等の撮影機構を組み込んだユニット本体に予めフイルムを装填した状態で販売されており、これを購入するだけで写真撮影ができるという手軽さから広く利用されている。ストロボ内蔵型のレンズ付きフイルムユニットは、上記ユニット本体にさらにストロボ装置を内蔵させたもので、ストロボ用の充電ボタンを操作するだけで、ストロボ撮影を行うことができる。この充電ボタンは、撮影時に簡単に操作できるように、レンズ付きフイルムユニットの前面に設けられている。ストロボ装置には、充電ボタンを充電が完了するまで押し続けるタイプと、充電ボタンを一瞬押すことで自動的に充電が完了するタイプとがある。後者のタイプの場合、充電ボタンを一瞬押すだけで手軽にストロボ撮影を行うことができる。
【０００３】
ところで、レンズ付きフイルムユニットは、ユニット本体に写真フイルムが装填されているため、製造後、実際ユーザーが使用するまでの間、装填された写真フイルムを湿気や塵などから保護する必要がある。そのため、レンズ付きフイルムユニットは、メーカーから出荷されるときに防湿機能を持った包装袋で１つ１つ密封して販売されている。
【０００４】
【発明が解決しようとする課題】
こうしたレンズ付きフイルムユニットの充電スイッチの周囲は、充電スイッチの誤操作防止のために土手が形成されているが、レンズ付きフイルムユニットは包装袋に密封されているだけなので、レンズ付きフイルムユニットを輸送する際や店頭での陳列作業中に、例えばレンズ付きフイルムユニットの角や陳列用ハンガーの先端等の鋭い部分によって、瞬間的に包装袋の上から充電ボタンが押されて無駄な電源を消耗してしまうことがある。この場合、充電ボタンを充電完了まで押し続けるタイプの場合には電源の消耗は軽微であるが、充電ボタンを一瞬押すことで充電が完了するタイプの場合には電源の消耗が激しいのでストロボ撮影に支障をきたす恐れがある。
【０００５】
本発明は上記事情を考慮してなされたもので、ストロボを内蔵したレンズ付きフイルムユニットの充電ボタンを操作不能にして包装袋で覆うことができるようにしたレンズ付きフイルムユニットの包装方法を提供することを目的とする。
【０００６】
【課題を解決するための手段】
上記目的を達成するために、請求項１記載の発明では、シート状のスペーサがレンズ付きフイルムユニットの前面に設けらた突出部に支持されて載置されることにより、前記スペーサが充電ボタンから浮いた状態で、かつ充電ボタンを覆っており、レンズ付きフイルムユニット及びスペーサを包装袋で一体に包装したときに、前記スペーサに設けられた支持面によって包装袋が内側から支持されて、充電ボタンが操作不能になるようにしたものである。
【０００７】
請求項２記載の発明では、スペーサに、レンズ付きフイルムユニットの上面及び下面に沿って折り曲げられる折り曲げ片を一体に連設し、これらの折り曲げ片で、レンズ付きフイルムユニットの前面を覆っている部分を支えるようにしたものである。また、請求項３記載の発明では、スペーサに、レンズ付きフイルムユニットの前面に向けて折り曲げられる折り曲げ片を一体に連設し、これらの折り曲げ片で、少なくとも充電ボタンを覆っている部分を支えるようにしたものである。また、請求項４の発明では、前記スペーサがレンズ付きフイルムユニットの前面に載置された際に、レンズ付きフイルムユニットの前面から隆起して撮影レンズを保持している隆起部の少なくとも一部が入り込む切欠き又は開口を前記スペーサに設け、前記スペーサのずれを防止するものである。
【０００８】
【実施例】
レンズ付きフイルムユニット２は、図１に示すように、フイルム及び撮影機構が組み込まれたユニット本体３を外装用の紙箱４で覆ったものである。レンズ付きフイルムユニット２の前面２ａには、後述するパトローネ室２０に倣って前面に突出した突出部１８を有している。前カバー１４の中央には、前面２ａから隆起して撮影レンズ１２を覆うための隆起部１０が形成されている。前面２ａには充電ボタン１１が配置されており、この充電ボタン１１を囲むように、前面２ａより突出して、誤操作防止用の突条１１ａが形成されている。紙箱４の所要部に設けた開口からは、ユニット本体３に設けられたシャッタボタン５，フイルムカウンタ窓６，ファインダ窓７，隆起部１０，突条１１ａ等が露呈している。
【０００９】
ユニット本体３は、図４に示すように、本体基部１３と、これに前後から爪止めされる前カバー１４及び後カバー１５と、撮影レンズ１２及びシャッタ機構を備える露光ユニット１６と、ストロボユニット１７とで構成されている。本体基部１３の両側に形成したパトローネ室２０及びフイルム室２１には、パトローネ及びロール状の写真フイルムが収納されている。
【００１０】
前カバー１４の前面の一方は、パトローネ室２０に倣って前面に突出している。前カバー１４の中央には隆起部１０が形成されており、他方の端には充電ボタン１１と誤操作防止用の突条１１ａとが形成されている。また、前カバー１４の上面にはシャッタボタン８等が形成されている。
【００１１】
本体基部３の前面に取り付けられるストロボユニット１７は、ストロボ基板２５に、ストロボ発光部２６，ストロボ用のメインコンデンサー２７，乾電池２８を装着するためのバッテリーホルダー２９，充電ボタン１１の背後に位置して充電ボタン１１の押圧により回路をオンにする接片３０等で構成されており、これらの各部品で充電スイッチ１１の押圧を解除しても規定電圧になるまで充電を行う回路を構成している。例えば、充電ボタン１１を押圧操作した時点から、時定数回路でメインコンデンサー２７がフル充電されるのに必要な所定時間を計時しておき、この所定時間が経過したときに自動的に発振を停止させるような構成になっている。
【００１２】
図３に示すように、このレンズ付きフイルムユニット２は、包装袋３８で包装される前に、その前面２ａ側にスペーサ４０が被せられている。包装袋３８は、防湿のためにアルミニウムシートが基材として用いられた多層構造のシート材で作られ、その表面にはレンズ付きフイルムユニット２の機種を表す表示やデザイン模様等が印刷されている。また図示したように、包装袋３８のセンターシール部３８ａは、レンズ付きフイルムユニット２の前面側にくるようになっており、しかも隆起部１０の上に重なる方向に折り曲げられ、包装状態で撮影レンズ１２を保護している。
【００１３】
スペーサ４０は厚紙製のシートで作られ、その展開形状は図２に表されている。スペーサ４０には、レンズ付きフイルムユニット２の前面を覆う支持面４１が設けられている。また、円弧状部４７ａを有する切欠き４７が支持面４１の中央から端辺に向かって形成されている。この円弧状部４７ａは、レンズ付きフイルムユニット２の隆起部１１の円弧部分よりもわずかに小径である。
【００１４】
このスペーサ４０は、レンズ付きフイルムユニット２の横方向から被せられる。レンズ付きフイルムユニット２の隆起部１１が、スペーサ４０の切欠き４７の側辺を沿って部分的に円弧状部４７ａに入り込む。支持面４１には、上下にそれぞれ折曲げ片４２，４３が一体に連設されており、各々の境界には折り曲げやすくするために切込みやミシン目が入っている。折曲げ片４２，４３は、前面２ａの突出部１８及び誤操作防止用の突条１１ａの先端部分からレンズ付きフイルムユニット２の後面までの高さとほぼ同じ幅に形成されている。スペーサ４０の各コーナー部分は丸められている。
【００１５】
上記構成の作用を説明する。上記スペーサ４０は図１に示すように折り曲げて用いられ、レンズ付きフイルムユニット２を包装袋３８で包装する前に充分な乾燥処理を施した後に、レンズ付きフイルムユニット２の横方向から被せられる。スペーサ４０の隆起部１０は切欠き４７の円弧状部４７ａに一部入り込む。図５に示すように、支持面４１は、その前後から前面２ａの突出部１８と誤操作防止用の突条１１ａとによって支持される。充電ボタン１１から浮かせて支持面４１によって充電ボタン１１が覆われている。このとき、折曲げ片４２，４３はレンズ付きフイルムユニット２の上面及び下面に沿う。
【００１６】
自動包装により、レンズ付きフイルムユニット２はスペーサ４０ごと包装袋３８で包まれる。この包み込み工程の後に、包装袋３８の開放端がエンドシールされ、包装状態となる。包装袋３８の上から先が尖ったもので押されて、支持面４１に多少の押圧力が加わったとしても、支持面４１の前後は前面２ａの突出部１８と誤操作防止用の突条１１ａとによって支持されており、折り曲げ片４２，４３の先端縁４２ａ，４３ａが、レンズ付きフイルムユニット２の背面側を覆っている包装袋３８を内面側に突き当たっているから、支持面４１が簡単に凹むようなことはなく、充電ボタン１１が押されることはない。
【００１７】
なお、この包装状態ではレンズ付きフイルムユニットの前面が平面に近くなったので、レンズ付きフイルムユニットのみを包装した場合と比較して、梱包時の取扱いは簡便で、自動販売機適性も満足させることができる。さらに、厚紙製のスペーサ４０を充分に乾燥させてから用いているので、包装後には吸湿材としても作用し、防湿効果をさらに高めることができる。
【００１８】
図６は、本発明のレンズ付きフイルムユニットの包装方法の他の実施例を示すものである。このスペーサ６０の支持面４１には、レンズ付きフイルムユニット２の隆起部２１が入り込む開口６７が形成されており、レンズ付きフイルムユニット２の上面２ａに上側から被せられる。レンズ付きフイルムユニット２の隆起部２１は開口６７よりも突出するので、スペーサ６０はレンズ付きフイルムユニット２の前面に位置決めされて、包装袋３８に包装される。包装工程中や包装後にスペーサ６０がレンズ付きフイルムユニット２の前面２ａからずれたり外れたりすることがない。
【００１９】
以上、図示した実施例にしたがって説明してきたが、スペーサの形状としては、必ずしもレンズ付きフイルムユニットの隆起部を入り込ませるための開口は必要ではない。また、スペーサはレンズ付きフイルムユニットの前面を覆いつくすものである必要はなく、充電ボタン及び誤操作防止用の突条のみを覆い、誤操作防止用突条によって支持されるようにしたり、更に充電ボタン及び誤操作防止用の突条のみを覆うスペーサに、レンズ付きフイルムユニットの前面に向けて折り曲げる折り曲げ片を形成して、折り曲げ辺で支えられるようにしたものでもよい。またスペーサの材質としても、コスト的には厚紙製のものが有利であるが、強度を上げるためにプラスチックシートや金属製シートを利用してもよい。
【００２０】
【発明の効果】
上述したように、本発明のレンズ付きフイルムユニットの包装方法によれば、シート状のスペーサがレンズ付きフイルムユニットの前面に設けられた突出部に支持されて載置されることにより、前記スペーサが充電ボタンから浮いた状態で、かつ充電ボタンを覆っており、レンズ付きフイルムユニット及びスペーサを包装袋で一体に包装したときに、前記スペーサに設けられた支持面によって包装袋が内側から支持されて充電ボタンが操作不能になるようにしたから、不要な充電の開始を防止することができる。充電ボタンを一瞬押すことで充電が完了するタイプの場合には大変有効である。
【図面の簡単な説明】
【図１】本発明の一実施例を示す斜視図である。
【図２】スペーサの展開図である。
【図３】包装状態を示す斜視図である。
【図４】ユニット本体の分解斜視図である。
【図５】レンズ付きフイルムユニットにスペーサを被せた状態を示す一部破断図である。
【図６】本発明の他の実施例を示す斜視図である。
【符号の説明】
２  レンズ付きフイルムユニット
３  ユニット本体
１０  隆起部
１１  充電ボタン
１１ａ  突条
１７  ストロボユニット
１８  突出部
３８  包装袋
４０，６０  スペーサ
４１  支持面
４７  切欠き
６７  開口
【図１】
0003563810.tif 000002
【図２】
0003563810.tif 000003
【図３】
0003563810.tif 000004
【図４】
0003563810.tif 000005
【図５】
0003563810.tif 000006
【図６】
0003563810.tif 000007